(57)【要約】【課題】単なるリーダライタとして使用する以外にも種々の使い方ができるＲＦＩＤリーダライタを提供すること。【解決手段】ＩＣカード又はＩＣタグと電磁波で通信するＲＦＩＤリーダライタであって、扁平状のリーダライタ本体１１と、任意の情報を掲載した表示シート２０をリーダライタ本体１１の前面に着脱可能に保持するためのシート保持手段とを備える。各種の情報案内や商品データ等を掲載した表示シート２０を用いて、リーダライタとしての機能に加えて他の機能を持たせることにより、単なるリーダライタとして使用することに加えて別の使い方をすることができ、リーダライタの機能を有機的に活かした様々な使い方ができる。また、表示シートを変えるだけで、オリジナルデザインのリーダライタが簡単にできるという利点もある。【選択図】図５
2008040572.tif 000002
【特許請求の範囲】
【請求項１】
ＩＣカード又はＩＣタグと電磁波で通信するＲＦＩＤリーダライタであって、扁平状のリーダライタ本体と、任意の情報を掲載した表示シートをリーダライタ本体の前面に着脱可能に保持するためのシート保持手段とを備えたことを特徴とするＲＦＩＤリーダライタ。
【請求項２】
リーダライタ本体の背面に隣接してＩＣカード又はＩＣタグを一時的に保持するためのカード保持手段を設けたこと特徴とする請求項１に記載のＲＦＩＤリーダライタ。
【請求項３】
リーダライタ本体を立てた状態で支持するための設置台を設けたことを特徴とする請求項１又は２に記載のＲＦＩＤリーダライタ。
【発明の詳細な説明】
【技術分野】
【０００１】
本発明は、ＩＣカードやＩＣタグの技術分野に属し、詳しくは、ＩＣカード又はＩＣタグに収容された情報を読み出したりこれらに情報を書き込んだりするために用いられるＲＦＩＤリーダライタに関するものである。
【背景技術】
【０００２】
近年、ＩＣチップをプラスチックカードに埋め込んだＩＣカードや、ＩＣチップとアンテナを備えたＩＣタグが一般に広く利用されるようになってきた。これらはＲＦＩＤ（Radio Frequency Identification）とも呼ばれており、外部処理装置との通信を非接触で行うものである。すなわち、ＩＣカードやＩＣタグ（パッシブ型）は、ＲＦＩＤリーダライタが電波を使って電力を送り込み、その電力でＩＣが起動するもので、その電波には指示や要求も載っており、ＲＦＩＤリーダライタから電力と命令を同時に受け取るようになっている。また、その指示に対する答えを搬送波と呼ばれる電波に載せて送り出す。
【０００３】
このようなＩＣカード又はＩＣタグに収容された情報を読み書きするためのＲＦＩＤリーダライタのうち、操作キーや液晶表示部などを設けていない薄型のものとして、表面を通信面とし、その通信面にＩＣカードやＩＣタグを接触させて電磁結合により通信するタイプのものがある。
【特許文献１】特開２００６−１１３７２７号公報
【発明の開示】
【発明が解決しようとする課題】
【０００４】
上記の特許文献１に記載されたような薄型のＲＦＩＤリーダライタは、カードよりも小さくなるという位に小型化が進んでおり、机の上に寝かせて置いた状態で使用したり、スタンドにより立てた状態で使用したりしている。このように机やテーブルのような台の上で使用するが、単なるリーダライタとして使用する以外に別の使い方をすることができないものであった。
【０００５】
本発明は、上記のような事情に鑑みてなされたものであり、その目的とするところは、単なるリーダライタとして使用する以外にも種々の使い方ができるＲＦＩＤリーダライタを提供することにある。
【課題を解決するための手段】
【０００６】
請求項１に記載の発明であるＲＦＩＤリーダライタは、ＩＣカード又はＩＣタグと電磁波で通信するＲＦＩＤリーダライタであって、扁平状のリーダライタ本体と、任意の情報を掲載した表示シートをリーダライタ本体の前面に着脱可能に保持するためのシート保持手段とを備えたことを特徴としている。
【０００７】
請求項２に記載の発明であるＲＦＩＤリーダライタは、請求項１に記載のＲＦＩＤリーダライタにおいて、リーダライタ本体の背面に隣接してＩＣカード又はＩＣタグを一時的に保持するカード保持手段を設けたこと特徴としている。
【０００８】
請求項３に記載の発明であるＲＦＩＤリーダライタは、請求項１又は２に記載のＲＦＩＤリーダライタにおいて、リーダライタ本体を立てた状態で支持するための設置台を設けたことを特徴としている。
【発明の効果】
【０００９】
本発明のＲＦＩＤリーダライタは、シート保持手段によりリーダライタ本体の前面に任意の情報を掲載した表示シートを着脱自在に保持させることができるので、各種の情報案内や商品データ等を掲載した表示シートを用いて、リーダライタとしての機能に加えて他の機能を持たせることにより、単なるリーダライタとして使用することに加えて別の使い方をすることができ、リーダライタの機能を有機的に活かした様々な使い方ができる。また、表示シートを変えるだけで、オリジナルデザインのリーダライタが簡単にできるという利点もある。
【００１０】
そして、リーダライタ本体の背面に隣接してＩＣカード又はＩＣタグを一時的に保持するカード保持手段を設けたことにより、前面の表示シートを隠すことなくＩＣカード又はＩＣタグを読み取らせることができる。
【００１１】
また、リーダライタ本体を立てた状態で支持するための設置台を設けたことにより、前面の表示シートを見やすい状態にすることができる。
【発明を実施するための最良の形態】
【００１２】
以下、具体例を挙げて本発明の実施の形態について説明する。
【００１３】
図１は本発明に係るＲＦＩＤリーダライタの一例を正面斜めから見た状態で示す斜視図、図２は図１に示すＲＦＩＤリーダライタの背面図、図３は同じく上面図、図４は同じく側面図である。
【００１４】
この実施例のＲＦＩＤリーダライタ１０は、扁平状のリーダライタ本体１１と、表示シートをリーダライタ本体１１の前面に保持するための透明アクリル板１２と、リーダライタ本体１１を立てた状態で支持するための設置台１３と、リーダライタ本体１１の背面に間隔を置いた状態で立設されたカード保持板１４とからなる。
【００１５】
リーダライタ本体１１は、扁平状のケースの中に各種の電子部品を搭載したプリント基板を内蔵するとともに、外部との通信を行うためのアンテナを内蔵している。例えば、ケースの前面側にアンテナ、背面側にプリント基板を配置する。このようにプリント基板の前方にアンテナを設置してあっても、ケースの背面から通信が可能である。また、アンテナをケースの背面側に内蔵するようにしても構わない。
【００１６】
リーダライタ本体１１の前面には、下部に横長状の出っ張り部分１１ａが設けられ、その上方にシート保持手段としての透明アクリル板１２がネジ１２ａにより脱着可能な状態で取り付けられている。このように透明アクリル板１２を脱着可能に設けることで、リーダライタ本体１１の前面に任意の情報を掲載した表示シートを挟んで収納し表から見える状態とするようになっている。
【００１７】
リーダライタ本体１１の出っ張り部分１１ａには、ＬＥＤの表示窓１１ｂが設けられており、電源投入や通信状況を光で知らせるようになっている。また、リーダライタ本体１１の背面側には、ＵＳＢケーブルの排出口１１ｃとケーブルの引回し溝１１ｄが設けられている。なお、表示シートの収納領域をできるだけ広くしたい場合は、透明アクリル板１２をリーダライタ本体１１の前面を覆うサイズとし、ＬＥＤの表示窓１１ｂをリーダライタ本体１１の上面や側面に設けるようにするとよい。
【００１８】
設置台１３は、リーダライタ本体１１を立てた状態で支持するためのもので、リーダライタ本体１１の底部にネジ等で取外し可能に取り付けられている。また、この設置台１３にはカード保持手段としてのカード保持板１４が一体的に取り付けられており、設置台１３をリーダライタ本体１１の底部に取り付けることで、カード保持板１４がリーダライタ本体１１の背面に間隔を置いた状態で立設した状態になるようにしてある。
【００１９】
ＩＣカード又はＩＣタグに収容された情報を読み出したりこれらに情報を書き込んだりする場合、リーダライタ本体１１の背面とカード保持板１４との間にＩＣカード又はＩＣタグを挿入する。これにより、ＩＣカード又はＩＣタグは、リーダライタ本体１１の背面に隣接した状態で保持されることになる。
【００２０】
図５は図１のＲＦＩＤリーダライタを使用時の状態で示す斜視図である。このＲＦＩＤリーダライタ１０は、パソコンのあるオフィスのデスク上に置いて使用するものである。すなわち、図示のようにリーダライタ本体１１の前面には写真２０が保持されており、リーダライタ本体１１の背面とカード保持板１４との間にはパソコン管理用のＩＣタグ３０を挿入するようになっている。このように、家族、ペット等のお気に入りの写真２０を入れたポートレートとして利用しながら、パソコンをログインした時の認証用リーダとして利用する。また、表示シートを写真やイラストに変えるだけで、オリジナルデザインのリーダライタが簡単にできる。
【００２１】
以上、一つの例を挙げて本発明を詳細に説明したが、本発明によるＲＦＩＤリーダライタは上記の例に限るものではない。
【００２２】
例えば、上記の例では、表示シートをリーダライタ本体の前面に保持するためのシート保持手段として、透明アクリル板１２とそれを止めるネジ１２ａを用い、板状物で挟んで保持するようにしたが、本発明でのシート保持手段は、リーダライタ本体の前面に表示シートを保持できさえすればよく、表示シートを差し込んで保持したり、クリップのようなもので止めるなど、任意の手段を用いてよいものである。
【００２３】
また、上記の例では、リーダライタ本体１１の背面に隣接してＩＣカード又はＩＣタグを保持するためのカード保持手段を設けたが、用途によってはかざすだけでよい場合もあるので、このような場合にはカード保持手段は必ずしも必要ではない。
【００２４】
また、上記の例では、リーダライタ本体１１を立てた状態で支持するための設置台１３を設けたが、寝かせて置いた状態で使用するような場合には、このような設置台は必要でない。ただ、図１のＲＦＩＤリーダライタ１０は、設置台１３を外せば、寝かせて使用することもできる。
【００２５】
本発明に係るＲＦＩＤリーダライタは、上記したようなフォトフレーム（写真立て）を組み込んだ使い方の他にも次に挙げるような様々な使い方ができる。
【００２６】
例えば、本発明のＲＦＩＤリーダライタをスーパーマーケット、百貨店等の商品棚に設置する。そして、シート保持手段には新商品等の商品の写真を入れるようにし、商品情報を配信するための情報リーダとして利用する。すなわち、消費者が携帯電話等に付けたＩＣタグをＲＦＩＤリーダライタにかざすと、携帯電話にその商品の情報が配信されるという具合である。また、同様にして、ＩＣタグ（ＩＣカード）を利用したイベントなどの広告として使用することもできる。
【００２７】
また、ＩＣタグを利用したポイントラリーに使用できる。すなわち、通過順や情報案内を記載した表示シートをシート保持手段に入れたＲＦＩＤリーダライタを要所要所に置いておき、それにＩＣタグをかざすことでポイントを付与するのである。
【００２８】
また、催し物などで入場用、退場用リーダライタを別々に設置するような場合、その情報を明示した表示シートをシート保持手段に入れたＲＦＩＤリーダライタを使用すれば、来客がＩＣタグを読み取らせるリーダライタを間違えることがなくなり、入場と退場の誤操作を確実に防止することができる。
【図面の簡単な説明】
【００２９】
【図１】本発明に係るＲＦＩＤリーダライタの一例を示す斜視図である。
【図２】図１に示すＲＦＩＤリーダライタの背面図である。
【図３】図１に示すＲＦＩＤリーダライタの上面図である。
【図４】図１に示すＲＦＩＤリーダライタの側面図である。
【図５】図１のＲＦＩＤリーダライタを使用時の状態で示す斜視図である。
【符号の説明】
【００３０】
１０  ＲＦＩＤリーダライタ
１１  リーダライタ本体
１１ａ  出っ張り部分
１１ｂ  表示窓
１１ｃ  排出口
１１ｄ  引回し溝
１２  透明アクリル板
１２ａ  ネジ
１３  設置台
１４  カード保持板
２０  写真
３０  ＩＣタグ
【図１】
2008040572.tif 000003
【図２】
2008040572.tif 000004
【図３】
2008040572.tif 000005
【図４】
2008040572.tif 000006
【図５】
2008040572.tif 000007